(57)【特許請求の範囲】
【請求項１】
建物の上下方向に配設される立て管に設けられる合流継手の側面に接続され、水平方向に延在する筒状内面と、前記筒状内面に連続して前記合流継手と反対側の端部に向かって前記筒状内面の軸心側に傾斜する傾斜内面とを備える筒部と、
前記筒部の前記合流継手と反対側の端部に設けられ、前記筒部を塞ぐ奥壁部と、
前記傾斜内面の上側に開口した開口部に連通し、水廻り器具からの排水を落下させる竪管が接続される竪管接続部と、
を備え、前記傾斜内面と前記奥壁部の奥壁内面との境界に屈折部が形成され、前記屈折部の少なくとも一部は前記開口部に向かって延在し、
前記筒部には前記奥壁部と反対側から洗浄ノズルが挿通可能に開口した排水通路が形成されている排水継手。
【請求項２】
前記屈折部は、前記境界の前記筒部の軸心の高さより下側の位置から前記筒部の軸心の高さまで延在する請求項１に記載の排水継手。
【請求項３】
前記屈折部と前記開口部の縁部は点接触する請求項１または２記載の排水継手。
【請求項４】
前記屈折部と前記開口部の縁部は交差する請求項１又は２記載の排水継手。
【請求項５】
前記奥壁内面は、前記開口部の縁部に接する平面である請求項１〜４のいずれか１項に記載の排水継手。
【請求項６】
請求項１〜請求項５の何れか１項に記載の排水継手と、
建物の上下方向に配設された立て管同士を接続すると共に、前記排水継手が接続され、前記排水継手と反対側に設けられた洗浄ノズル挿入口を備える合流継手と、
水廻り器具に連通し、水平方向に前記水廻り器具からの排水を流す横引き管と、
上下方向に延在し、一端が前記横引き管に連通し、他端が前記排水継手の前記竪管接続部に接続され、前記水廻り器具からの排水を落下させることによりサイホン力を発生させる竪管と、
を備える排水システム。
【発明の詳細な説明】
【技術分野】
【０００１】
本発明は、排水継手、及び排水システムに関する。
【背景技術】
【０００２】
近年、従来の勾配排水システムに代わるものとして、所謂サイホン排水システムが提案されている（例えば、特許文献１参照）。サイホン排水システムは、特許文献１に記載されるように、水廻り器具にサイホン排水管を接続し、サイホン排水管の垂下部をなす竪管にて発生するサイホン力（負圧力）を利用して、水廻り器具からの排水効率を向上させるシステムである。
【０００３】
このサイホン排水システムにおいては、水廻り器具から排出された排水はサイホン排水管に流入し、サイホン排水管の水平部をなす横引き管及びサイホン排水管の垂下部をなす竪管を満たす。サイホン排水管の竪管が排水で満たされると、竪管内の排水は重力により落下し、横引き管の内部に竪管における水頭差に対応する吸引力、即ちサイホン力が発生する。横引き管内の排水は、前記サイホン力によって竪管に向かって吸引され、サイホン排水管内が排水で満たされる所謂満流となってサイホン排水管内を流下する。
【０００４】
サイホン排水システムのサイホン力を発生させる竪管を立て管に接続する構造としては、所謂合流継手を介して竪管を接続するものがある。
【０００５】
合流継手は、立て管に接続する管状の本管部と、本管部の側部から水平方向に突出する管状の接続部とで構成されている。合流継手は、全体形状が略Ｔ字形状を呈しており、本管部の軸心と接続部の中心とが直角に交差している。
【０００６】
接続部には、竪管が接続されるための排水継手が接続されている。この排水継手には合流継手の接続部に装着される円筒形の円筒部と、円筒部の端部に連続して周壁内面が半球状とされた周壁部と、周壁内面の頂部に上方に向かって形成された開口部と、開口部と連通する竪管接続部とを備えている。
【先行技術文献】
【特許文献】
【０００７】
【特許文献１】特開２００６-２０７１９０号公報
【発明の概要】
【発明が解決しようとする課題】
【０００８】
ところで合流継手には、排水継手と反対側に竪管清掃用の洗浄ノズル挿入口が設けられている。柔軟性を有するホースの先端に噴射部が取り付けられた洗浄ノズルが洗浄ノズル挿入口から挿入され、排水継手の円筒部から周壁部の奥まで挿入されることにより、洗浄ノズルの先端が周壁部の半球状の周壁内面に案内され、周壁部の頂部に設けられた開口部に案内される。この結果、洗浄ノズルの先端が開口部から竪管に進入し、竪管の清掃を可能としている。
【０００９】
一方、排水継手の周壁部の頂部でない部分に開口部が形成されている場合には、洗浄ノズルの先端が周壁内面の頂部まで到達しても開口部に進入することができない。また、洗浄ノズルをそれ以上押し込んでも、洗浄ノズルのホースが折り返されるため、開口部に進入することができない。すなわち、洗浄ノズルを竪管に案内することができない。
【００１０】
したがって、竪管が接続される開口部が周壁部のどの位置に形成されているかを問わず、洗浄ノズルを竪管に案内可能な排水継手が求められている。
【００１１】
本発明は上記事実を考慮し、洗浄ノズルを竪管に案内可能な排水継手を提供することを目的とする。
【課題を解決するための手段】
【００１２】
請求項１記載の排水継手は、建物の上下方向に配設される立て管に設けられる合流継手の側面に接続され、水平方向に延在する筒状内面と、前記筒状内面に連続して前記合流継手と反対側の端部に向かって前記筒状内面の軸心側に傾斜する傾斜内面とを備える筒部と、前記筒部の前記合流継手と反対側の端部に設けられ、前記筒部を塞ぐ奥壁部と、前記傾斜内面の上側に開口した開口部に連通し、水廻り器具からの排水を落下させる竪管が接続される竪管接続部と、を備え、前記傾斜内面と前記奥壁部の奥壁内面との境界に屈折部が形成され、前記屈折部の少なくとも一部は前記開口部に向かって延在し、前記筒部には前記奥壁部と反対側から洗浄ノズルが挿通可能に開口した排水通路が形成されている。
【００１３】
請求項１の排水継手は、筒部が合流継手に接続され、竪管接続部に竪管が接続される。竪管から排水が排出されると、排水は、竪管接続部から開口部を介して筒部（傾斜内面、さらに筒状内面）に到り、合流継手を介して立て管へ流れ込む。
【００１４】
一方、竪管を清掃するためには、ホースの先端に噴射部が装着された洗浄ノズルを排水継手の筒部の奥壁部と反対側から内部の排水通路に挿入する。洗浄ノズルの先端が自重により排水継手の筒部の筒状内面の下側に当接し、洗浄ノズル挿入口からホースを押し込むことによって、洗浄ノズルの先端が筒部の筒状内面に沿って奥側（合流継手から離間する方向）に進む。さらに、洗浄ノズル挿入口からホースを押し込むことによって、洗浄ノズルの先端が筒状内面から傾斜内面に沿って移動する。洗浄ノズルの先端が傾斜内面と奥壁内面との境界に形成された屈折部に到達すると、押し込まれたホースが曲がり、洗浄ノズルの先端が屈折部に沿った方向に向く。さらに、ホースを押し込むことにより、少なくとも一部が開口部に向かって延在する屈折部に沿って移動し、傾斜内面に開口された開口部に案内される。すなわち、柔軟性を有するホースの先端に形成された洗浄ノズルの先端が開口部から竪管接続部を介して竪管に到達可能になる。したがって、排水継手の筒部の奥壁側と反対側から筒部の内部の排水通路に洗浄ノズルを挿入することにより、洗浄ノズルを竪管へ案内することができる。
【００１５】
請求項２記載の排水継手は、請求項１記載の排水継手において、前記屈折部は、前記境界の前記筒部の軸心の高さより下側の位置から前記筒部の軸心の高さまで延在する。
【００１６】
請求項２記載の排水継手では、屈折部が境界の前記筒部の軸心の高さより下側の位置から筒部の軸心の高さまで延在して形成されている。すなわち、洗浄ノズルの先端が奥壁部に当接して突き当たり易い部分に洗浄ノズルの先端を案内する屈折部を設けたため、洗浄ノズルを竪管に案内することができる。
【００１７】
請求項３記載の排水継手は、請求項１又は２記載の排水継手において、前記屈折部と前記開口部の縁部は点接触する。
【００１８】
請求項３記載の排水継手では、内部に押し込まれた洗浄ノズルの先端が傾斜内面と奥壁内面との境界に形成された屈折部に沿って移動する。この屈折部と竪管接続部の開口部の縁部が点接触しているため、屈折部に沿って移動した後、屈折部と開口部の縁部との接触位置から開口部内にスムーズに進入していく。したがって、洗浄ノズルの先端が開口部に一層スムーズに案内される。
【００１９】
請求項４記載の排水継手は、請求項１又は２記載の排水継手において、前記屈折部と前記開口部の縁部は交差する。
【００２０】
請求項４記載の排水継手では、内部に押し込まれた洗浄ノズルの先端が傾斜内面と奥壁内面との境界に形成された屈折部に沿って移動する。この屈折部と竪管接続部の開口部の縁部が交差しているため、屈折部に沿って移動してきた洗浄ノズルの先端は、屈折部と開口部の縁部との接触位置から開口部にスムーズに進入していく。また、この構成により洗浄ホースの曲がり角度が小さくなり、ホースが折り返されることを抑制することができる。
【００２１】
請求項５に記載の排水継手は、請求項１〜４いずれか１項に記載の排水継手において、前記奥壁内面は、前記開口部の縁部に接する平面である。
【００２２】
請求項５に記載の排水継手では、奥壁内面が竪管接続部の開口部の縁部と接する平面であるため、奥壁内面が開口部とオーバーラップすることがなく、開口部から排水継手の周壁部に流入する排水の流れが合流継手と反対方向へ向いたり、奥壁内面に当たることにより流れが阻害されることを抑制できる。また、奥壁内面を開口部の縁部と接する平面とすることにより、排水継手を小型化することができる。
【００２３】
請求項６記載の排水システムは、請求項１〜請求項５の何れか１項に記載の排水継手と、建物の上下方向に配設された立て管同士を接続すると共に、前記排水継手が接続され、前記排水継手と反対側に設けられた洗浄ノズル挿入口を備える合流継手と、水廻り器具に連通し、水平方向に前記水廻り器具からの排水を流す横引き管と、上下方向に延在し、一端が前記横引き管に連通し、他端が前記排水継手の前記竪管接続部に接続され、前記水廻り器具からの排水を落下させることによりサイホン力を発生させる竪管と、を備える。
【００２４】
請求項６記載の排水システムは、合流継手に排水継手の筒部が接続され、排水継手の竪管接続部に竪管が接続される。したがって、竪管から排水が排出されると、排水は排水継手の竪管接続部から開口部を介して筒部に流れ込み、筒部から合流継手を介して立て管に流入する。
【００２５】
一方、合流継手に設けられた洗浄ノズル挿入口から柔軟性を有するホースの先端に取り付けられた洗浄ノズルを挿入すると、洗浄ノズルの先端は、自重により排水継手の筒部の筒状内面の下側に当接する。洗浄ノズル挿入口からホースを押し込むことにより、洗浄ノズルの先端が筒部の筒状内面から傾斜内面に沿って移動する。洗浄ノズルの先端が傾斜内面と奥壁内面の境界に形成された屈折部に到達すると、押し込まれたホースが曲がり、洗浄ノズルの先端が屈折部を沿った方向に向く。さらに、ホースを押し込むことにより、洗浄ノズルの先端は開口部に向かって延在する屈折部に沿って移動し、傾斜内面の上側に開口した開口部に進入する。すなわち、洗浄ノズルの先端を竪管に案内することができる。
【発明の効果】
【００２６】
以上説明したように本発明は、洗浄ノズルを竪管の内部に案内できる。
【図面の簡単な説明】
【００２７】
【図１】実施形態に係る排水継手が適用されたサイホン排水システムを備えた集合住宅を示す断面図である。
【図２】実施形態に係る排水継手の軸方向縦断面図である。
【図３】実施形態に係る排水継手を示す水平断面図(図２の３−３線断面図）である。
【図４】実施形態に係る排水継手の径方向縦断面図（図３の４−４線断面図）である。
【図５】実施形態に係る洗浄ノズルの側面図である。
【図６】（Ａ）実施形態に係る排水継手の軸方向縦断面図における洗浄ノズルの先端の軌跡を示す図であり、（Ｂ）は実施形態に係る排水継手の径方向縦断面図における洗浄ノズルの先端の軌跡を示す図（図６（Ａ）の６Ｂ−６Ｂ線断面図）である。
【図７】比較例に係る排水継手の軸方向縦断面における洗浄ノズルの先端の軌跡を示す図である。
【発明を実施するための形態】
【００２８】
図１〜図７を用いて、本発明の一実施形態に係る排水継手について説明する。図１には、本発明の一実施形態に係る排水継手１０が用いられたサイホン排水システム１２の全体構成が示されている。本実施形態では、サイホン排水システム１２を複数階で構成された集合住宅に用いた例について説明する。
【００２９】
サイホン排水システム１２は、排水を下方へ流す立て管１４を備えている。この立て管１４は、集合住宅の上下方向に延設され、集合住宅の各階のスラブ１６を貫通している。集合住宅の各階の各戸には、排水がなされる水廻り器具１８が設けられている。
【００３０】
水廻り器具１８は、排水を行う器具のことであり、例えば、台所流し、洗面台、洗濯機、ユニットバス等の風呂、トイレ等を挙げることができるが、他のものであっても良い。
【００３１】
水廻り器具１８には、封水を貯留したトラップ２０を介してサイホン排水管２２が接続されている。サイホン排水管２２は、スラブ１６の上に水平方向に配置される横引き管２４と、この横引き管２４と連通する竪管２６とを含んで構成されている。本実施形態において、横引き管２４が水平方向に配置されるとは、水平方向に対して若干傾斜した緩傾斜の勾配を付与した場合を含む。竪管２６は、排水を落下させることによりサイホン力を発生させて排水を誘導するものである。竪管２６は、立て管１４に沿って、上下方向に配設されている。竪管２６は、排水継手１０を介して立て管１４同士を連結する合流継手２８に連結されている。
【００３２】
（合流継手の構成）
図２及び図３に示すように、合流継手２８は、上下方向に延びる円筒状の立て管接続本管部３０を備え、立て管接続本管部３０の内部には立て管１４の端部が挿入される立て管用孔部３２が上下方向に延在して形成されている。また、合流継手２８の立て管接続本管部３０の側部には、水平方向に延びる円筒状の接続部３４が立て管接続本管部３０の側部に直角に形成されている。接続部３４は円筒状であるため、接続部３４の外形の軸心３４Ｃと、接続部３４の内部の孔部３６の軸心３６Ｃとは一致している。
【００３３】
立て管接続本管部３０の接続部３４と反対側の側部には、洗浄ノズル挿入口３８が形成されている。洗浄ノズル挿入口３８には、接続部３４の孔部３６と同径の挿入孔部４０が形成されている。洗浄ノズル挿入口３８の外周面にはねじ溝４２が形成されており、ねじ溝４２に螺合する内ねじを備えた蓋体４４で洗浄ノズル挿入口３８が閉塞されている。なお、本実施形態では、洗浄ノズル挿入口３８は、立て管接続本管部３０において接続部３４と同一高さに形成されているが、これに限定されるものではなく、上下左右に多少オフセットしていても良い。この合流継手２８は、集合住宅等の排水設備に一般的に用いられているものを使用することができる。
【００３４】
（排水継手の構成）
【００３５】
排水継手１０は、図２〜図４に示すように、合流継手２８の接続部３４に接続される継手本体部４６と、継手本体部４６と連通し、竪管２６が接続される竪管接続部４８とを備える。継手本体部４６は、水平方向に延在する円筒形の内側面５２Ａを有する円筒部５２と、円筒部５２の一端側に連続して形成された半球状の周壁内面５４Ａを有する周壁部５４と、周壁部５４の奥側（頂部）に形成された平面である奥壁内面５６Ａを有する奥壁部５６とを備える。すなわち、継手本体部４６には、円筒部５２の一端側に奥壁部５６の奥壁内面５６Ａを頂面とした半球状のドームが形成された排水通路５０が形成されている。なお、本実施形態では、円筒部５２の延在する水平方向は、水平方向に対して若干傾斜した方向も含む。
【００３６】
ここで、継手本体部４６の円筒部５２と周壁部５４が本発明の筒部に相当し、内側面５２Ａが本発明の筒状内面、周壁内面５４Ａが本発明の傾斜内面に相当する。
【００３７】
なお、継手本体部４６の外形の軸心４６Ｃと、排水通路５０の軸心５０Ｃとは一致している。また、継手本体部４６の外形の軸心４６Ｃと、合流継手２８の接続部３４の外形の軸心３４Ｃとは一致している。さらに、排水通路５０の軸心５０Ｃと、奥壁部５６の奥壁内面（平面）５６Ａは直交している。
【００３８】
継手本体部４６（周壁部５４）の上部には、継手本体部４６と連通する円筒状の竪管接続部４８が形成されている。竪管接続部４８には、竪管２６が接続される孔部４９が上部に形成されている。また、孔部４９の下方には、孔部４９に連通し、一端が周壁部５４の周壁内面５４Ａに開口した開口部４７が形成されている。本実施形態では、竪管接続部４８の孔部４９の軸心４９Ｃと開口部４７の軸心４７Ｃが一致している。
【００３９】
図３及び図４に示すように、継手本体部４６の軸心４６Ｃに対して図面矢印Ａ方向側にオフセットした位置（寸法ＯＬだけ軸心４６Ｃから外れた位置）に、開口部４７の軸心４７Ｃ（竪管接続部４８の孔部４９の軸心４９Ｃ）が位置している。また、図４に示すように、継手本体部４６の軸心４６Ｃと開口部４７の軸心４７Ｃ（竪管接続部４８の孔部４９の軸心４９Ｃ）とが直角とされている。
【００４０】
図４に示すように、開口部４７は、周壁部５４において継手本体部４６の軸心４６Ｃの図面矢印Ａ方向側斜め上方に開口している。なお、開口部４７の内径は、竪管接続部４８の孔部４９の内径よりも小さく形成されている。
【００４１】
なお、奥壁部５６の奥壁内面（平面）５６Ａは、軸心４６Ｃに直角（開口部４７の軸心４７Ｃに平行）に形成され（図２参照）、傾斜内面５４Ａとの境界の全周に亘って屈折部８０が形成されている。ここで、「屈折部」とは排水通路５０の軸心５０Ｃに沿った断面視（図２参照）において、奥壁内面５６Ａと傾斜内面５４Ａとの境界に角度を持った角を形成することをいう。
また、図４の実施例では、周壁部５４の周壁内面５４Ａと奥壁部５６の奥壁内面５６Ａの屈折部８０が開口部４７の縁部と点接触するように形成されている。ここで、「点接触」とは、周壁内面５４Ａ上に開口部４７が開口している部分（開口部４７の仮想端面）と奥壁内面５６Ａが一点で交差せずに接触していることをいう。
また、後述する「交差」とは、周壁内面５４Ａ上に開口部４７が開口している部分（開口部４７の仮想端面）の縁部まで屈折部８０が延在して交差していることをいう。            
【００４２】
（洗浄ノズルの構成）
洗浄ノズル６０は、図５に示すように、屈曲自在な(柔軟性のある)金属製ホース６２と、金属製ホース６２の先端側に設けられた球形の噴射部６４と、噴射部６４の先端側に設けられたガイド部６６とを備える。
【００４３】
金属製ホース６２は、屈曲自在に形成されると共に噴射部６４に洗浄水を供給するための管路が内部に形成されている。
【００４４】
噴射部６４は、金属製の略球体であり、外周面の金属製ホース６２側に複数のノズル孔６８が周方向に一定間隔をおいて形成されている。したがって、噴射部６４は、ノズル挿入方向と反対側（後側）に洗浄水を噴射する（図５、破線矢印参照）ように構成されている。
【００４５】
ガイド部６６は、噴射部６４の先端側に屈曲自在な(柔軟性のある)棒部材７０と、棒部材７０の先端に装着され先端が半球状に形成された金属製の先端当接部７２と、棒部材７０の先端当接部７２と噴射部６４との間に一定間隔をおいて装着されている球形の金属製の当接部７４、７６とを備える。
【００４６】
したがって、洗浄ノズル６０を排水継手１０の内部に挿入し、排水通路５０の壁面等に当接させると、ホース６２を押し込むことにより先端当接部７２が壁面に倣って移動し、後続の当接部７４、７６が壁面に当接しながら棒部材７０を湾曲させるものである（図５、二点鎖線部参照）。
【００４７】
（作用、効果）
次に、本実施形態の排水継手１０及びサイホン排水システム１２の作用、効果を説明する。
【００４８】
先ず、竪管２６を清掃する場合について説明する。この場合には、合流継手２８の洗浄ノズル挿入口３８から蓋体４４を取り外し、洗浄ノズル挿入口３８から洗浄ノズル６０を合流継手２８の内部に挿入する。
【００４９】
洗浄ノズル６０の先端に設けられたガイド部６６は、合流継手２８の洗浄ノズル挿入口３８から立て管用孔部３２を横切って接続部３４の孔部３６に接続された排水継手１０の排水通路５０に挿入される。
【００５０】
図６（Ａ）、（Ｂ）に示すように、洗浄ノズル挿入口３８から合流継手２８内に挿入された洗浄ノズル６０のホース６２の先端に設けられたガイド部６６は、その自重により先端が下方に垂れるため、排水通路５０において円筒部５２の内側面５２Ａの下側に先端当接部７２が当接する。なお、図中の矢印は、洗浄ノズル６０の先端当接部７２が移動した軌跡を示したものである。
【００５１】
この状態で洗浄ノズル６０（ホース６２）を洗浄ノズル挿入口３８から押し込んで行くと、図６（Ａ）に矢印Ｂで示すように、ガイド部６６の先端当接部７２が円筒部５２の内側面５２Ａの下側に当接したまま、奥壁部５６側に移動していく。洗浄ノズル６０（ホース６２）をさらに押し込むことにより、洗浄ノズル６０の先端当接部７２は周壁部５４の周壁内面５４Ａに沿って上り、奥壁部５６の奥壁内面５６Ａと周壁部５４の周壁内面５４Ａとの境界に形成された屈折部８０まで到達する。洗浄ノズル６０の先端が奥壁内面５６Ａに突き当たったことによりホース６２が曲がり、先端当接部７２を含むガイド部６６が屈折部８０の延在方向に向く。さらに洗浄ノズル６０（ホース６２）を押し込むことで、洗浄ノズル６０の先端当接部７２は、水平方向に傾斜して延在する部分を含む屈折部８０に沿って周方向に移動する。この場合、図６（Ｂ）に示すように、屈折部８０に沿って反時計回り（図６（Ｂ）、矢印Ｂ１参照）、あるいは時計回り（図６（Ｂ）、矢印Ｂ２参照）に移動して、屈折部８０と開口部４７の縁部が点接触している部分に到達すると、先端当接部７２が開口部４７の中に進入し、続いて開口部４７から竪管２６の内部に進入することができる。すなわち、洗浄ノズル６０を竪管２６の内部まで案内することができる。
【００５２】
続いて、比較例に係る排水継手１００を用いて竪管２６を洗浄する場合について説明し、排水継手１０の作用を一層明らかにする。排水継手１００の構成要素のうち、排水継手１０と同様の構成要素については同一の参照符号に１００を足した参照符号を付し、その詳細な説明を省略する。
【００５３】
比較例の排水継手１００は、図７に示すように、排水通路１５０に奥壁面がなく、周壁部１５４の周壁内面１５４Ａが完全な半球形状になっている点が異なる。
【００５４】
排水継手１００の場合も、排水継手１０と同様に、洗浄ノズル６０（ホース６２）を押し込むことにより、洗浄ノズル６０の先端当接部７２が円筒部１５２の内側面１５２Ａの下側に当接し、周壁部１５４の周壁内面１５４Ａに沿って上昇していく。ところが、周壁部１５４の周壁内面１５４Ａの頂点位置Ｐを越えるとホース６２が折り返され、ガイド部６６がこれ以上移動することが不可能になる。すなわち、洗浄ノズル６０をこれ以上押し込むことが不可能なる。したがって、洗浄ノズル６０を竪管２６に案内することが不可能になる。
【００５５】
このように本実施形態の排水継手１０は、軸心４６Ｃと軸心４７Ｃ（軸心４９Ｃ）がオフセットするように周壁部５４の周壁内面５４Ａ上に開口部４７が開口されている場合でも、開口部４７の縁部が接する位置に奥壁部５６を形成し、周壁部５４の周壁内面５４Ａと奥壁部５６の奥壁内面５６Ａとの境界に形成された屈折部８０と開口部４７の縁部とを点接触させている。このため、洗浄ノズル挿入口３８から洗浄ノズル６０が押し込まれたときに、先端当接部７２が周壁部５４の周壁内面５４Ａと奥壁部５６の奥壁内面５６Ａとの屈折部８０に沿って移動することにより、屈折部８０と開口部４７の縁部が点接触した位置から開口部４７に先端当接部７２が容易に進入できる。さらに、洗浄ノズル６０を押し込むことにより、噴射部６４まで竪管２６の内部に案内される。このように、周壁部５４の周壁内面５４Ａに開口した開口部４７がオフセットした位置に開口されていても、洗浄ノズル６０が竪管２６に案内される。
【００５６】
また、このように半球状の周壁部５４の頂面として平面である奥壁部５６を開口部４７の縁部と接する（点接触する）ように形成しているため、奥壁部５６と開口部４７が部分的にオーバーラップすることがない。したがって、排水継手１０の開口部４７から周壁部５４、円筒部５２を介して立て管接続本管部３０の立て管用孔部３２に流れ込む排水の流れに影響を与えることはない。さらに、平面である奥壁内面５６Ａは、開口部４７の軸心４７Ｃと平行であるため、排水の流れを損なうことが一層抑制される。すなわち、排水継手１０は、後述する排水性の良好さを損なうことなく、洗浄ノズル６０を竪管２６まで案内できる。また、排水継手１０の小型化を図ることができる。
【００５７】
なお、本実施形態に係る排水継手１０では、屈折部８０と開口部４７の縁部が点接触するように形成されているが、交差するように形成されていても良い。ただし、点接触する方が、洗浄ノズル６０のガイド部６６の曲げ角度が抑制され、洗浄ノズル６０の案内性に優れる（洗浄ノズル６０が開口部４７に案内しやすい）。
【００５８】
また、本実施形態に係る排水継手１０では、開口部４７の縁部と奥壁部５６の奥壁内面５６Ａが排水通路５０の軸方向において一致するように形成されているが、奥壁部５６が開口部４７と軸方向で若干オーバーラップしても良いし、若干離間しても良い。
【００５９】
さらに本実施形態に係る排水継手１０は、周壁部５４の周壁内面５４Ａが半球状に形成されたものとして説明したが、これに限定されるものではない。周壁内面５４Ａは、奥壁部５６側に向かって軸心４６Ｃ側に傾斜するように形成されていれば良い。例えば、周壁内面が多角錐台形状等であっても良いが、半球状が最も好ましい。
【００６０】
またさらに、本実施形態に係る排水継手１０では、円筒部５２を断面円形としたが、これに限定されるものではない。例えば、断面が多角形であっても良い。
【００６１】
さらにまた、本実施形態に係る排水継手１０では、奥壁部５６が継手本体部４６の軸心４６Ｃに垂直な平面に形成されていたが、周壁部５４との間に境界（隅部）８０が形成されるものであれば、奥壁部５６が凹面又は凸面で形成されていても良い。しかし、奥壁部５６が合流継手２８側へ突出した凸面の場合には、排水の流れを損なうおそれがあり、凹面の場合には排水継手１０が大型化するおそれがある。したがって、奥壁部５６が平面であることが好ましい。また、漏れ試験を行う場合に、排水継手１０における奥壁部５６の外側面が平面となるため、合流継手２８と排水継手１０の間にバンドを掛けることができるという利点もある。
【００６２】
次に、排水継手１０及びサイホン排水システム１２の排水について説明する。
【００６３】
図４に示すように、竪管接続部４８は、排水継手１０の周壁部５４において、継手本体部４６の軸心４６Ｃの図面矢印Ａ方向側斜め上方の位置に開口部４７が開口しているため、開口部４７から排出された排水は、半球状の周壁部５４で水平方向、かつ継手本体部４６の軸心４６Ｃと交差する方向に方向変換されて（図３の矢印Ｃ参照）、立て管接続本管部３０の軸心３０Ｃの矢印Ａ方向とは反対方向側へずれた向きで排出される。
【００６４】
これにより、立て管接続本管部３０、及び立て管１４の内部では、図３に示すように、排水が時計回り（矢印ＣＷ方向）に旋回しながら落下し、立て管接続本管部３０、及び立て管１４の軸心付近に上下方向に連通する比較的大きな通気空間を形成することができる。立て管１４の軸心付近に上下方向に連通する比較的大きな通気空間を形成することで、立て管１４内でスムーズに排水を流すことができ、また、立て管１４内の気圧の変化を抑えることが出来る。このように、立て管１４内の気圧の変化を抑えることで、水廻り器具１８のトラップ２０の破封が抑えられる。
【００６５】
本実施形態の排水継手１０では、竪管２６を上下方向に延びる竪管接続部４８に接続するので、鉛直方向に延びる竪管２６を曲げることなく、立て管１４に沿って配設することができ、排水継手１０が配置される箇所で大きな設置スペースを必要としない。また、既存の合流継手２８に排水継手１０を接続することで、立て管１４内で、サイホン排水管２２からの排水をスムーズに流すことができる。
【００６６】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００６７】
上記実施形態では、排水継手１０をサイホン排水システム１２に用いた例を説明したが、排水継手１０の竪管接続部４８に、サイホン力を発生しない通常の排水管を接続することもできる。
【００６８】
上記実施形態では、継手本体部４６の軸心４６Ｃと開口部４７の軸心４７Ｃ（竪管接続部４８の孔部４９の軸心４９Ｃ）とが水平方向にオフセットし、継手本体部４６の軸心４６Ｃの向きと開口部４７の軸心４７Ｃの向きが直角であったが、継手本体部４６の軸心４６Ｃと開口部４７の軸心４７Ｃとは水平方向以外の方向にオフセットしていても良く、継手本体部４６の軸心４６Ｃの向きと開口部４７の軸心４７Ｃの向きが直角以外であっても良い。また、継手本体部４６の軸心４６Ｃと開口部４７の軸心４７Ｃ（竪管接続部４８の孔部４９の軸心４９Ｃ）とが水平方向にオフセットしていない排水継手にも適用できる。
【００６９】
また、上記実施形態では、洗浄ノズル６０は、先端にガイド部６６を有していたが、これがないものでも良い。すなわち、洗浄ノズル６０はホース６２の先端に噴射部６４のみを有する構造でも良い。この場合には、噴射部６４が屈折部８０まで到達すると、奥壁内面５６Ａに突き当たる。この結果、ホース６２が曲がり、噴射部６４は屈折部８０に沿って移動し、屈折部８０と点接触している開口部４７に進入していく。すなわち、実施形態と同様に、洗浄ノズル６０を竪管２６に案内することができる。
【００７０】
なお、本実施形態では、屈折部８０が周壁内面５４Ａと奥壁内面５６Ａとの境界の全周に亘って形成されていたが、境界の一部に形成されているものでも良い。特に、周壁内面５４Ａと奥壁内面５６Ａとの境界の継手本体部４６の軸心４６Ｃ（排水通路５０の軸心５０Ｃ）の高さより下側の位置から継手本体部４６の軸心４６Ｃ（排水通路５０の軸心５０Ｃ）の高さまで屈折部８０が形成されていると好ましい。これは、洗浄ノズル６０の先端が突き当たることが多い境界の下側に少なくとも屈折部８０を設けることにより、洗浄ノズル６０を竪管２６に案内可能とするものである。
【００７１】
また、本実施形態では、屈折部８０が円形に形成されたが、これに限定されるものではない。屈折部は、周壁内面５４Ａと奥壁内面５６Ａの境界に沿って開口部４７に向かって形成されているものであれば、特に形状を限定するものではない。ここで、「開口部４７に向かって延在する」とは、周壁内面５４Ａと奥壁内面５６Ａの境界の下端側の屈折部８０の一端（始点）よりも屈折部８０の他端（終点）が開口部４７に接近するように形成されたものをいう。
【符号の説明】
【００７２】
１０…排水継手、１２…サイホン排水システム（排水システム）、１４…立て管、１８…水廻り器具、２４…横引き管、２６…竪管、２８…合流継手、３８…洗浄ノズル挿入口、４７…開口部、４９…孔部、５０…排水通路、５２…円筒部（筒部）、５２Ａ…内側面（筒状内面）、５４…周壁部（筒部）、５４Ａ…周壁内面（傾斜内面）、５６…奥壁部、５６Ａ…奥壁内面、８０…屈折部
【図１】
0006573480.tif 000002
【図２】
0006573480.tif 000003
【図３】
0006573480.tif 000004
【図４】
0006573480.tif 000005
【図５】
0006573480.tif 000006
【図６】
0006573480.tif 000007
【図７】
0006573480.tif 000008